(57)【要約】【課題】  配信データの供給者及びユーザの双方にとって、効率的に配信データを利用可能な配信システムを提供する。【解決手段】  券売機１００は、切符販売機能の他に、タッチパネル１１０に動画広告１１０ｘを表示する機能も有する。また、券売機１００は、アンテナ１２０を介したbluetooth通信により、その通信エリアａｒ内の携帯端末２００と通信することもできる。通信エリアａｒは、携帯端末２００とともに移動するユーザが動画広告１１０ｘを閲覧可能な範囲に調整されている。券売機１００は、通信エリアａｒへの携帯端末２００の滞在をbluetooth通信により検知し、その滞在秒数を記録する。券売機１００は、滞在秒数が所定秒数となった時に、動画広告１１０ｘのFlash Fileを携帯端末２００に配信する。以上のような配信システムにより、効率的に配信を行うことができる。【選択図】  図１
2005148964.tif 000002
【特許請求の範囲】
【請求項１】
移動可能な受信端末に、所定の配信データを無線で配信する配信装置であって、
前記受信端末との無線通信により、前記受信端末が所定のエリア内に滞在しているか否かを検知し、該検知の結果の履歴を記録する記録部と、
該履歴が所定条件を満たした場合に、前記配信を行う配信部とを備える配信装置。
【請求項２】
請求項１記載の配信装置であって、
前記配信部は、前記滞在が所定時間継続した場合に、前記配信を行う配信装置。
【請求項３】
請求項１記載の配信装置であって、
前記配信データの内容を表す視聴覚データを再生する再生部を備え、
前記所定エリアは、該再生された映像又は音声を視聴可能な範囲に基づいて設定されている配信装置。
【請求項４】
請求項３記載の配信装置であって、
前記記録部は、前記再生が行われているか否かと併せて前記履歴を記録し、
前記配信部は、前記再生中の履歴に基づき前記配信を行う配信装置。
【請求項５】
請求項４記載の配信装置であって、
前記配信部は、前記再生中に継続的に滞在した期間が所定時間を超える場合に前記配信を行う配信装置。
【請求項６】
所定の配信装置から所定の配信データを無線で受信する、移動可能な受信端末であって、
前記配信装置との無線通信により、当該受信端末が所定のエリア内に滞在しているか否かを検知し、該検知の結果の履歴を記録する記録部と、
該履歴が所定条件を満たした場合に、前記受信を行う受信部とを備える受信端末。
【請求項７】
請求項６記載の受信端末であって、
前記受信部は、前記滞在が所定時間継続した場合に、前記受信を行う受信端末。
【請求項８】
請求項６記載の受信端末であって、
前記配信装置は、前記配信データの内容を表す視聴覚データを再生可能であるとともに、該再生を行っているか否かを判別可能な判別信号を無線で出力可能であり、
前記記録部は、前記判別信号により前記再生が行われているか否かを検出するとともに、該検出結果と併せて前記履歴を記録し、
前記受信部は、前記再生中の履歴に基づき前記受信を行う受信端末。
【請求項９】
請求項８記載の受信端末であって、
前記受信部は、前記再生中に継続的に滞在した期間が所定時間を超える場合に前記受信を行う受信端末。
【請求項１０】
所定の配信装置から所定の配信データを無線で受信する、移動可能な受信端末であって、
前記配信データの受信を行い、該受信された配信データを保持する受信部と、
前記配信装置との無線通信により、当該受信端末が所定のエリア内に滞在しているか否かを検知し、該検知の結果の履歴を記録する記録部と、
該履歴が所定の条件を満たさない場合に、前記保持された配信データを廃棄する廃棄部とを備える受信端末。
【請求項１１】
請求項１０記載の受信端末であって、
前記廃棄部は、前記エリア内での継続的な滞在期間が所定時間に至らない場合に前記廃棄を行う受信端末。
【請求項１２】
請求項１０記載の受信端末であって、
前記配信装置は、前記配信データの内容を表す視聴覚データを再生可能であるとともに、該再生を行っているか否かを判別可能な判別信号を無線で出力可能であり、
前記記録部は、前記判別信号により前記再生が行われているか否かを検出するとともに、該検出結果と併せて前記履歴を記録し、
前記廃棄部は、前記履歴が所定条件を満たさない場合に前記廃棄を行う受信端末。
【請求項１３】
請求項１２記載の受信端末であって、
前記廃棄部は、前記エリア内での継続的な滞在期間が所定時間に至らない場合に前記廃棄を行う受信端末。
【請求項１４】
移動可能な所定の受信端末に対して所定の配信データを無線で配信する配信装置において、前記配信を制御する配信制御方法であって、
前記受信端末との無線通信により、前記受信端末が所定のエリア内に滞在しているか否かを検知し、該検知の結果の履歴を記録する工程と、
該履歴が所定条件を満たした場合に、前記配信を行う工程とを備える配信制御方法。
【請求項１５】
所定の配信装置から所定の配信データを無線で受信する、移動可能な受信端末において、前記受信を制御する受信制御方法であって、
前記配信装置との無線通信により、当該受信端末が所定のエリア内に滞在しているか否かを検知し、該検知の結果の履歴を記録する工程と、
該履歴が所定条件を満たした場合に、前記受信を行う工程とを備える受信制御方法。
【請求項１６】
所定の配信装置から所定の配信データを無線で受信する、移動可能な受信端末において、受信された前記配信データの廃棄を制御する廃棄制御方法であって、
前記配信データの受信を行い、該受信された配信データを保持する工程と、
前記配信装置との無線通信により、当該受信端末が所定のエリア内に滞在しているか否かを検知し、該検知の結果の履歴を記録する工程と、
該履歴が所定の条件を満たさない場合に、前記保持された配信データを廃棄する工程とを備える廃棄方法。
【請求項１７】
移動可能な所定の受信端末に対して、所定の配信データを無線で配信する配信装置に、前記配信を行わせるためのコンピュータプログラムであって、
前記受信端末との無線通信により、前記受信端末が所定のエリア内に滞在しているか否かを検知し、該検知の結果の履歴を記録する機能と、
該履歴が所定条件を満たした場合に、前記配信を行う機能とを前記配信装置に実現させるためのコンピュータプログラム。
【請求項１８】
所定の配信装置から所定の配信データを無線で受信する、移動可能な受信端末に、前記受信を行わせるためのコンピュータプログラムであって、
前記配信装置との無線通信により、当該受信端末が所定のエリア内に滞在しているか否かを検知し、該検知の結果の履歴を記録する機能と、
該履歴が所定条件を満たした場合に、前記受信を行う機能とを前記受信端末に実現させるためのコンピュータプログラム。
【請求項１９】
所定の配信装置から所定の配信データを無線で受信する、移動可能な受信端末において、受信された前記配信データの廃棄を制御するためのコンピュータプログラムであって、
前記配信データの受信を行い、該受信された配信データを保持する機能と、
前記配信装置との無線通信により、当該受信端末が所定のエリア内に滞在しているか否かを検知し、該検知の結果の履歴を記録する機能と、
該履歴が所定の条件を満たさない場合に、前記保持された配信データを廃棄する機能とを前記受信端末に実現させるためのコンピュータプログラム。
【発明の詳細な説明】
【技術分野】
【０００１】
本発明は、例えば携帯電話など、移動可能な受信端末に、配信データを無線で配信する配信システムに関する。
【背景技術】
【０００２】
従来、例えば携帯端末のような、移動可能な受信端末に所定の配信データを無線で配信する配信システムが用いられている。特許文献１は、携帯端末が位置するエリア内の店舗の情報を配信するシステムを開示している。また、ユーザからの要求があった時に、ユーザに指定された配信データを配信する配信システムも提案されている（非特許文献１を参照）。
【０００３】
【特許文献１】特開２００３−２４８７７６号公報
【特許文献２】特開２００３−２１６０８１号公報
【特許文献３】特開２００２−２７１５０９号公報
【特許文献４】特開２００２−１３３２７１号公報
【特許文献５】特開２００２−１５０１３０号公報
【非特許文献１】特許庁ホームページ；標準技術集；電子・ネット広告；携帯電話やPDAを利用した双方向コミュニケーションが可能な電子ポスター：＜http://www.jpo.go.jp/shiryou/s_sonota/hyoujun_gijutsu/net_koukoku/011.html＞
【発明の開示】
【発明が解決しようとする課題】
【０００４】
特許文献１記載の技術のように、ユーザからの要求と無関係にデータを配信する配信システムでは、ユーザが利用しない無駄な配信データが多量に配信されていた。このような無駄な配信データは、移動可能な受信端末に備えられた比較的小容量のメモリ資源を浪費する恐れがあった。ユーザは、受信端末の動作速度を確保したり、必要なデータを保存するためのメモリ領域を確保したりするため、配信データを頻繁に取捨選択するというメンテナンス作業が必要であった。かかるシステムでは、配信データの供給者としても、廃棄される可能性の高いデータを無駄に配信していることになり、非効率的であった。一方、非特許文献１記載の技術のように、ユーザが要求した時だけデータの配信を受けるシステムでは、ユーザにとって有用な情報を受信する機会を逸しやすいという課題があった。また、配信データの供給者としても、ユーザに配信できる機会が十分に確保されないことになり、非効率的であった。
【０００５】
本発明は、上記の課題に鑑み、配信データの供給者およびユーザの双方にとって、効率的に配信データを利用可能な配信システムを提供することを目的とする。
【課題を解決するための手段】
【０００６】
上記課題の少なくとも一部を解決するため、本発明の配信装置、受信端末は次のように構成した。
本発明の配信装置は、移動可能な受信端末に、所定の配信データを次の手順により無線で配信する。まず、受信端末との無線通信により、受信端末が所定のエリア内に滞在しているか否かを検知し、その履歴を記録する。そして、この履歴が所定条件を満たした場合に、配信を行う。このようにすれば、上述のエリアを素通りした受信端末など、エリア内の滞在が所定条件を満足しない受信端末に対する配信を抑制することができる。従って、ユーザにとっては利用しない無駄な配信データの受信を抑制でき、受信端末のメモリの空き容量を確保するためのメンテナンス作業の負荷が軽減されるという利点がある。また、配信データの供給側（以下、「配信者」と呼ぶ）にとっても、無駄な配信を節約することができる利点がある。
【０００７】
無線通信には、例えば、bluetooth（登録商標）、無線ＬＡＮ、赤外線などを利用することができる。受信端末は、例えば、携帯端末、ユーザが着用可能なウェアラブル端末、ナビゲーション装置など乗り物に搭載された端末を利用することができる。配信データは配信装置が内部に記録していてもよいし、所定の外部サーバからネットワーク経由で取得してもよい。滞在の履歴は、エリア内の滞在時間、エリアに入った回数などをパラメータとして記録することができる。
【０００８】
本発明の配信装置において、例えば、滞在が所定時間継続した場合に、配信を行うものとしてもよい。一般に、受信端末が、あるエリアに継続的に滞在している場合、そのユーザは、そのエリアに何らかの用事がある可能性が高い。また、配信データを利用する時間的、精神的余裕がある可能性、または何らかの情報を求めている可能性が高い。上記態様では、このようなユーザが所持する受信端末に配信を行うため、ユーザおよび配信者の双方にとって効率的な配信を実現できる。
【０００９】
前記所定エリアは種々のエリアであってよい。例えば、本発明の配信装置が、配信データの内容を表す視聴覚データを再生する再生部を備える場合、前記所定エリアは、該再生された映像又は音声を視聴可能な範囲に基づいて設定されていてもよい。
【００１０】
上記の態様であれば、配信データを視聴している可能性が高いユーザの受信端末に配信を行うため、配信者及びユーザの双方にとって効率的な配信を実現できる。
【００１１】
例えば、本発明の配信装置において、前記配信部は、前記再生中に継続的に滞在した期間が所定時間を超える場合に前記配信を行うものとしてもよい。
【００１２】
視聴覚データの再生中に滞在しているユーザは、配信データの内容に関心を示している可能性が高いため、上記の態様であれば、このようなユーザに効率的に配信データの配信をすることができる。
【００１３】
本発明では、配信データを受信するか否かの制御を受信端末で行うようにしてもよい。本発明の第一の受信端末は、所定の配信装置から所定の配信データを無線で受信する、移動可能な受信端末であって、前記配信装置との無線通信により、当該受信端末が所定のエリア内に滞在しているか否かを検知し、該検知の結果の履歴を記録する記録部と、該履歴が所定条件を満たした場合に、前記受信を行う受信部とを備えることを要旨とする。
【００１４】
受信端末は、滞在履歴が所定条件を満足しないときには、配信データの受信を控えることができる。このため、無駄な配信データの受信を抑制でき、ユーザのメンテナンス作業の負荷を軽減することができる。また、配信者にとっても、無駄な配信を節約することができる。
【００１５】
受信するか否かの判断には、配信装置の場合と同様の条件を適用することができる。例えば、滞在が所定時間継続した場合に受信を行うものとしてもよい。
【００１６】
また配信装置が、前記配信データの内容を表す視聴覚データを再生可能であるとともに、該再生を行っているか否かを判別可能な判別信号を無線で出力可能である場合には、前記記録部は、前記判別信号により前記再生が行われているか否かを検出するとともに、該検出結果と併せて前記履歴を記録し、前記受信部は、前記再生中の履歴に基づき前記受信を行うものとしてもよい。
【００１７】
更に、受信部は、前記再生中に継続的に滞在した期間が所定時間を超える場合に前記受信を行うものとしてもよい。
【００１８】
また、本発明の第二の受信端末は、所定の配信装置から所定の配信データを無線で受信する、移動可能な受信端末であって、前記配信データの受信を行い、該受信された配信データを保持する受信部と、前記配信装置との無線通信により、当該受信端末が所定のエリア内に滞在しているか否かを検知し、該検知の結果の履歴を記録する記録部と、該履歴が所定の条件を満たさない場合に、前記保持された配信データを廃棄する廃棄部とを備えることを要旨とする。
【００１９】
本発明の第二の受信端末は、一旦、配信データを受信した後、滞在履歴が所定条件を満足しないときには、受信端末に保持された配信データを廃棄する。したがって、上記構成の受信端末を用いれば、ユーザのメンテナンス作業の負荷を軽減することができる。
【００２０】
本発明の第二の受信端末において、廃棄をするか否かの判断には、第１の受信端末で示した種々の条件を適用することができる。
【００２１】
本発明は、配信装置、受信端末としての構成の他、配信装置と受信端末を有する配信システムとして構成することもできる。また、配信制御方法、受信制御方法、廃棄制御方法、配信システムの制御方法など種々の態様で構成することも可能である。また、これらの方法をコンピュータによって実現するコンピュータプログラム自身またはこれと同視し得る信号として構成してもよい。さらに、これらのコンピュータプログラムを記録した記録媒体として構成してもよい。なお、いずれの構成においても、上述した種々の態様を、適宜、組み合わせたり、一部を省略したりして適用することができる。
【００２２】
ここで記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記録装置（ＲＡＭやＲＯＭなどのメモリ）および外部記録装置などコンピュータが読み取り可能な種々の媒体を利用できる。
【発明を実施するための最良の形態】
【００２３】
以下、本発明の実施の形態について実施例に基づき次の順序で説明する。
Ａ．第一実施例：
Ａ１．システム構成：
Ａ２．機能ブロック：
Ａ３．処理：
Ａ４．変形例：
Ｂ．第二実施例：
Ｂ１．機能ブロック：
Ｂ２．処理：
Ｂ３．変形例：
Ｃ．第三実施例：
【００２４】
Ａ．第一実施例：
Ａ１．システム構成：
図１は、配信システム１０００のシステム構成を示す説明図である。配信システム１０００は、鉄道の駅のフロアｆｌに設置された券売機１００と、フロアｆｌに存在するユーザの携帯端末（例えば携帯端末２００）とからなる。携帯端末２００等の各携帯端末は、その携帯端末のユーザとともに、フロアｆｌ上を移動する。以下では、携帯端末２００を例にとって主な説明を行うが、他の携帯端末の場合も同様である。
【００２５】
券売機１００は、切符の販売等の取引をユーザと行う取引機能を有する。ただし、券売機１００は、タッチパネル１１０へのタッチや、券売機１００への硬貨投入などのユーザ操作が所定期間途絶した場合、機能の切替を行い、取引機能を停止するとともに、以下で説明する広告機能を起動する。
【００２６】
券売機１００は、ＡＢＣ株式会社の動画広告１１０ｘをタッチパネル１１０に表示することができる。券売機１００は、動画広告１１０ｘを記録したフラッシュファイルを保持する。券売機１００は、フラッシュファイルに記録された動画を再生することで、動画広告１１０ｘをタッチパネル１１０に表示する。
【００２７】
券売機１００は、動画広告１１０ｘが記録されたフラッシュファイルを、アンテナ１２０を介し、bluetooth（登録商標）を用いた無線通信により携帯端末に配信する機能を有する。一般に、bluetooth通信のような無線通信を行う端末は、アンテナ等の調整に応じた所定エリア内の端末とのみ無線通信を行うことができる。券売機１００は、携帯端末の位置が通信エリアａｒ内である場合、その携帯端末と通信可能である。したがって、通信エリアａｒ外の位置（例えば位置２００ｘで図示する位置）に携帯端末が存在する場合、券売機１００は、その携帯端末と通信を行うことができない。実施例の通信エリアａｒは、広告１１０ｘの閲覧が可能な範囲に調整されているものとして以下の説明を行うが、かかる場合に限定されるわけではない。なお、配信システム１０００では、bluetoothによる無線通信に代えて、無線ＬＡＮによる無線通信を用いてもよい。
【００２８】
券売機１００は、タッチパネル１１０へのタッチなど、券売機１００へのユーザ操作があった場合、広告機能を停止するとともに、取引機能を再起動する。
【００２９】
なお、実施例では、bluetoothによる無線通信を用いる場合を例にとって説明を行ったが、無線ＬＡＮによる通信を用いてもよい。
【００３０】
Ａ２．機能ブロック：
図２は、券売機１００の機能ブロックを示す説明図である。券売機１００は、内部に、CPU，ROM，RAM等を有するコンピュータを備える。図示する各機能ブロックは、券売機１００に備えられたコンピュータがソフトウェア的に実現する。なお、図示する各機能ブロックの全部又は一部は、ハードウェア的に実現することも可能である。
【００３１】
パネル制御部３０３は、タッチパネル１１０を制御する。取引機能部３０２及び広告機能部３００は各々、取引機能及び広告機能を実現する。切替機能部３０１は、ユーザ操作が所定期間途絶した場合、取引機能を停止し、広告機能を起動する。また、広告機能の起動中にユーザ操作があった場合、広告機能を停止し、取引機能を起動する。なお、切替機能部３０１は、券売機１００に電源が投入された場合、広告機能を起動する。
【００３２】
広告機能部３００において、再生部３１０は、保持部３２０に保持されたフラッシュファイルが表す広告動画１１０ｘをタッチパネル１１０上に再生する。
【００３３】
無線通信部３３０は、携帯端末とのbluetooth通信を実現する。記録部３４０は、bluetooth通信が可能か否かに基づいて、通信エリアａｒ内に滞在している携帯端末を検知することができる。記録部３４０は、広告動画１１０ｘが再生されている間における、通信エリアａｒ内への携帯端末の滞在秒数を記録する。以下、この滞在秒数を、再生時滞在秒数と称する。なお、記録部３４０は、携帯端末から端末ＩＤを取得し、端末ＩＤと対応付けて再生時滞在秒数を携帯端末ごとに記録する。
【００３４】
配信部３５０は、再生時滞在秒数が所定秒数以上となった場合、保持部３２０に記録されたフラッシュファイルを携帯端末に配信する。
【００３５】
Ａ３．処理：
図３は、券売機１００が行う処理を示すフローチャートである。図３の処理は、券売機１００の電源投入時や、ユーザ操作が所定期間途絶した場合に開始される。したがって、図３の処理は、切替機能部３０１は広告機能部３００を起動することで開始させる。
【００３６】
まず、券売機１００は、広告動画１１０ｘの再生を開始する（ステップＳａ１）。この後、券売機１００は、bluetooth通信を試行することで、通信エリアａｒ内に滞在している携帯端末を検知する（ステップＳａ２）。検知が完了すると、券売機１００は、検知結果に基づいて、記録部３４０に記録された再生時滞在秒数を更新する（ステップＳａ３）。すると、券売機１００は、再生時滞在秒数が所定秒数を超えた携帯端末に対し、フラッシュファイルを配信する（ステップＳａ４）。
【００３７】
この後、券売機１００は、タッチパネル１１０へのタッチなどのユーザ操作の有無を調べる（ステップＳａ５）。ユーザ操作がなかった場合、券売機１００は、ステップＳａ２の処理に戻り、通信エリアａｒ内に滞在している携帯端末の検知を行う。一方、ユーザ操作があった場合、券売機１００は、切替機能部３０１の機能により、広告動画１１０ｘの再生を終了する（ステップＳａ６）とともに、記録部３４０に記録された再生時滞在秒数を全てゼロに戻す（ステップＳａ７）。この後、券売機１００は、取引処理を起動する（ステップＳａ８）。
【００３８】
取引処理は、ユーザ操作が所定期間途絶した場合に終了し、図３の処理自体も完了する。ただし、ユーザ操作が所定期間途絶したのであるから、この後、券売機１００は自動的に、ステップＳａ１より図３の処理を再開する。
【００３９】
上述の配信システム１０００では、通信エリアａｒへの滞在秒数が所定秒数となる時まで、フラッシュファイルの配信を抑止することができる。ここで、通信エリアａｒは、広告１１０ｘの閲覧が可能な範囲に調整されている。したがって、ユーザに閲覧される可能性が低いフラッシュファイルの配信を抑制し、ひいては、フラッシュファイルの配信者と、ユーザの双方にとって効率的な配信を実現できる。
【００４０】
Ａ４．変形例：
実施例で券売機１００は、広告動画１１０ｘの再生を行うものとしたが、かかる場合に限定されることはない。例えば、券売機１００には、ＡＢＣ株式会社の宣伝ステッカーが張り付けられているものとしてもよい。その場合、通信エリアａｒは、宣伝ステッカーの閲覧が可能なユーザの位置のみを含むように調整されていることが望ましい。また、実施例では、bluetooth通信のアンテナ１２０が、配信装置たる券売機１００に設けられているものとしたが、かかる場合に限定されることもない。実施例の技術は、例えば、所定の配信サーバが、インターネットを介し、所定のホットスポットに滞在する受信端末に対して配信を行う場合にも応用可能である。
【００４１】
実施例で券売機１００は、通信エリアａｒへのユーザの滞在秒数に応じて処理を行うものとしたが、通信エリアａｒに入った回数に応じて処理を行うものでもよい。また、通信エリアａｒにユーザが複数回入った場合、券売機１００は、各滞在における再生時滞在秒数を通算した滞在秒数に応じて処理を行うものとしてもよい。
【００４２】
また、実施例で券売機１００は、再生時滞在秒数に応じて処理を行うものとしたが、動画広告１１０ｘの再生停止時の滞在秒数も通算した滞在秒数に応じて処理を行っても良い。
【００４３】
Ｂ．第二実施例：
第二実施例として、携帯端末が再生時滞在秒数を記録し、記録された再生時滞在秒数が所定秒数以上となった場合に、配信データの配信を券売機に要求する技術を説明する。
【００４４】
Ｂ１．機能ブロック：
図４は、第二実施例の配信システム１０００ａを示す説明図である。配信システム１０００ａは、第一実施例の場合と同様に、券売機１００ａと、携帯端末２００ａ等の携帯端末から構成される。
【００４５】
券売機１００ａは、第一実施例の券売機１００と異なり、通信エリアａｒへのユーザの滞在履歴を記録する記録部３４０（図２参照）を有さない。また、配信部３５０ａは、通信エリアａｒへの携帯端末２００ａの滞在秒数に関わらず、携帯端末２００ａから配信要求があった場合に、フラッシュファイルを携帯端末２００ａに送信する。
【００４６】
携帯端末２００ａにおいて、無線通信部２１０は、券売機１００ａとのbluetooth通信を行う。なお、券売機１００ａの切替機能部３０１が広告機能を停止させた場合、券売機１００ａの無線通信部３３０も機能を停止する。このため、携帯端末２００ａの記録部２２０は、券売機１００ａとのbluetooth通信が可能である場合、券売機１００ａの広告機能が起動しており、かつ、券売機１００ａの通信エリアａｒ内に携帯端末２００ａが滞在していることを検知することができる。この検知結果に基づいて、記録部２２０は、携帯端末２００ａの再生時滞在秒数を記録することができる。
【００４７】
受信部２３０は、再生時滞在秒数が所定秒数以上となった場合、フラッシュファイルの送信を券売機１００ａに要求する。この要求を行うことで、受信部２３０は、券売機１００ａからフラッシュファイルを受信することができる。受信部２３０は、受信されたフラッシュファイルを保持部２４０に記録する。
【００４８】
ユーザ入力部２６０は、保持部２４０に記録されたフラッシュファイルの映像の再生を指示するユーザ入力を入力する。制御部２７０は、ユーザ入力に応じ、映像の再生を表示部２５０に行わせる。表示部２５０は、保持部２４０に記録されたフラッシュファイルに基づいて、携帯端末２００ａに設けられた液晶表示パネルに、ＡＢＣ株式会社の動画広告１１０ｘ（図１参照）を表示させることができる。
【００４９】
Ｂ２．処理：
図５は、携帯端末２００ａが行うフラッシュファイル受信処理を示す説明図である。携帯端末２００ａは、図示する処理を繰り返し実行する。
【００５０】
まず、携帯端末２００ａは、bluetooth通信を試行し（ステップＳｂ１）、記録部２２０に記録された再生時滞在秒数を更新する（ステップＳｂ２）。この後、携帯端末２００ａは、再生時滞在秒数が所定秒数を超えたか否かを判断する（ステップＳｂ３）。再生時滞在秒数が所定秒数を超えていなかった場合、携帯端末２００ａは、図５の処理を終了する。
【００５１】
再生時滞在秒数が所定秒数を超えた場合、携帯端末２００ａは、フラッシュファイルの配信を券売機１００ａに要求する（ステップＳｂ４）ことにより、券売機１００ａからフラッシュファイルを受信する（ステップＳｂ５）。携帯端末２００ａは、受信されたフラッシュファイルを保持部２４０に記録する（ステップＳｂ６）。この後、携帯端末２００ａのユーザは、任意の時点で、保持部２４０に記録されたフラッシュファイルが表す動画を表示部２５０に再生させることができる。
【００５２】
上述の配信システム１０００ａで携帯端末２００ａは、通信エリアａｒへの滞在秒数が所定秒数となる時まで、フラッシュファイルの受信を行わない。このため、フラッシュファイルの配信者と、ユーザの双方にとって効率的な配信を実現できる。
【００５３】
Ｂ３．変形例：
第一実施例で説明した変形例の技術は、第二実施例に応用することが可能である。例えば、券売機１００ａは、動画広告の再生を行わない代わりに、所定の宣伝ステッカーが貼り付けられていてもよい。また、携帯端末２００ａは、ユーザが通信エリアａｒに入った回数等に応じて処理を行うものとしてもよい。
【００５４】
Ｃ．第三実施例：
実施例の券売機１００，１００ａは、フラッシュファイルに記録された広告動画を再生するものであった。券売機１００，１００ａは、フラッシュファイルに記録された所定再生時間の動画を周期的に繰り返し再生するものとしてもよい。券売機１００，１００ａは、動画の始端から再生を始め、終端まで再生が完了すると、再生ポイントを始端に戻す。こうして券売機１００，１００ａは、動画を周期的に繰り返し再生する。
【００５５】
かかる場合、券売機１００，１００ａは、始端から終端まで広告動画の一周期が再生される間、ユーザが継続して通信エリアａｒに滞在した場合に、配信を実行するものとしてもよい。例えば、第一実施例の記録部３４０は、広告動画の始端の再生時と、終端の再生時とに、通信エリアａｒ内の携帯端末を検知する（図３のステップＳａ２参照）。そして、配信部３５０は、始端の再生時に検知された携帯端末が、終端の再生時にも検知された場合に、配信を実行する。以下、このように動画の再生ポイントが考慮される場合の他の例として、第三実施例を説明する。
【００５６】
第三実施例の配信システムは、第二実施例の配信システム１０００ａと同様の構成を有する。第三実施例の券売機１００ａでは、無線通信部３３０ａが、広告動画の始端及び終端の再生時に各々、その旨の通知を携帯端末２００ａに行う点で、第二実施例の場合と相違する。以下では、これらの通知を各々、始端再生通知及び終端再生通知と称する。
【００５７】
図６は、第三実施例で携帯端末２００ａが有する記録部３４０ｂを示す説明図である。第三実施例の携帯端末２００ａは、第二実施例の記録部３４０（図４参照）に代えて、図６の記録部３４０ｂを有する。記録部３４０ｂは、滞在フラグ３４０ｂｆと、通知フラグ３４０ｂｎとを有する。滞在フラグ３４０ｂｆは、携帯端末２００ａが通信エリアａｒに滞在しているか否かを記録する。通知フラグ３４０ｂｎは、始端再生通知が取得された場合、その旨を記録する。また、通知フラグ３４０ｂｎは、始端再生通知が取得された後には、終端再生通知が取得された場合にも、その旨を記録する。
【００５８】
受信部２３０は、通信エリアａｒへの携帯端末２００ａの滞在履歴に関わらず、通信エリアａｒに携帯端末２００ａが入った場合、配信データの取得処理（図５のステップＳｂ４〜Ｓｂ６）を行う。また、受信部２３０は、記録部３４０の記録内容が所定の条件を満たす場合、保持部２４０に記録されたフラッシュファイルを削除する機能も有する。
【００５９】
図７は、第三実施例におけるフラッシュファイル受信処理を示すフローチャートである。このフローチャートは、第二実施例における図５のフローチャートに相当する。まず、携帯端末２００ａは、bluetooth通信を試行する（ステップＳｃ１）。このとき、携帯端末２００ａは、広告動画の始端又は終端が再生されている場合には各々、始端再生通知又は終端再生通知を券売機１００ａから取得することができる。bluetooth通信の試行結果に基づいて、携帯端末２００ａは記録部３４０ｂの記録内容を更新する（ステップＳｃ２）。この更新により滞在フラグ３４０ｂｆが、「非滞在」から「滞在」に変更された場合、携帯端末２００ａは、フラッシュファイル取得処理（図５のステップＳｂ４〜Ｓｂ６に相当）を行う（ステップＳｃ３）。また、「滞在」から「非滞在」に変更された場合、携帯端末２００ａは、通知フラグ３４０ｂｎを参照する（ステップＳｃ４）。参照結果より、始端再生通知及び終端再生通知の両者が取得されていたことが分かった場合、携帯端末２００ａは、そのまま図７の処理を終了する。一方、始端再生通知しか取得されていなかった場合や、いずれの通知も取得されていなかった場合には、携帯端末２００ａは、保持部２４０に記録されたフラッシュファイルを削除する（ステップＳｃ６）。
【００６０】
以上説明した第三実施例の配信システムで携帯端末２００ａは、通信エリアａｒを出るまでに、始端再生通知及び終端再生通知の両者が取得されなかった場合には、保持部２４０に記録されたフラッシュファイルを削除する。このため、ユーザにとって効率的な配信を実現できる。また、削除により、フラッシュファイルが間引かれると、配信されたフラッシュファイルがユーザに閲覧される可能性が全体として向上する。したがって、フラッシュファイルの配信者は、配信先の受信端末が上記に説明したものであれば、フラッシュファイルを高い確率でユーザに閲覧させることができる。
【００６１】
なお、第一実施例や二実施例に、第三実施例の技術を応用することも可能である。例えば、第二実施例の携帯端末２００ａは、図５のステップＳｂ２〜Ｓｂ６の処理に代えて、次の処理を行うものとしてもよい。すなわち、まず、携帯端末２００ａは、通信エリアａｒに携帯端末２００ａが入った場合、通信エリアａｒへの滞在秒数に関わらず、フラッシュファイルを受信する。また、通信エリアａｒへの滞在秒数が所定秒数未満のうちに、券売機１００ａとのbluetooth通信が不能となった場合、保持部２４０に記録されたフラッシュファイルを削除する。
【００６２】
以上、実施例に基づき本発明にかかる配信装置及び受信端末を説明してきたが、上述した発明の実施の形態は、本発明の理解を容易にするためのものであり、本発明を限定するものではない。本発明は、その趣旨並びに特許請求の範囲を逸脱することなく、変更、改良され得る。
【図面の簡単な説明】
【００６３】
【図１】配信システム１０００のシステム構成を示す説明図である。
【図２】券売機１００の機能ブロックを示す説明図である。
【図３】券売機１００が行う処理を示すフローチャートである。
【図４】第二実施例の配信システム１０００ａを示す説明図である。
【図５】携帯端末２００ａが行うフラッシュファイル受信処理を示すフローチャートである。
【図６】第三実施例の記録部３４０ｂを示す説明図である。
【図７】第三実施例のフラッシュファイル受信処理を示すフローチャートである。
【符号の説明】
【００６４】
１０００...配信システム
２００...携帯端末
１００...券売機
１１０...タッチパネル
１１０ｘ...動画広告表示
ｆｌ...駅のフロア
１２０...アンテナ
ａｒ...通信エリア
２００ｘ...通信エリアａｒ外の位置
３００...広告機能部
３０１...切替機能部
３０２...取引機能部
３０３...パネル制御部
３１０...再生部
３２０...保持部
３３０...無線通信部
３４０...記録部
３５０...配信部
１０００ａ...配信システム
２００ａ...携帯端末
２１０...無線通信部
２２０...記録部
２３０...受信部
２４０...保持部
２５０...表示部
２６０...ユーザ入力部
２７０...制御部
１００ａ...券売機
３５０ａ...配信部
３４０ｂ...記録部
３４０ｂｆ...滞在フラグ
３４０ｂｎ...通知フラグ
【図１】
2005148964.tif 000003
【図２】
2005148964.tif 000004
【図３】
2005148964.tif 000005
【図４】
2005148964.tif 000006
【図５】
2005148964.tif 000007
【図６】
2005148964.tif 000008
【図７】
2005148964.tif 000009